(57)【要約】  本発明は、軌道（２４）のレール（１８）を鋸断するバンドソー（１）であって、レール（１８）上に締め付け固定可能な、送り装置（１２）を有するバイス（９）上に取り付け可能であるバンドソー（１）に関する。バンドソー（１）は、フレーム（２）を備え、フレーム（２）内には、４つの帯鋸刃ローラ（１５，１６）が支持されており、４つの帯鋸刃ローラ（１５，１６）に帯鋸刃（７）が張架されており、帯鋸刃（７）は、フレーム（２）の空所（６）内においてガイド要素（１７）によりソー平面（１１）内へねじられている。４つの帯鋸刃ローラ（１５，１６）を配置したことで、帯鋸刃（７）にかかる負荷が低く、このことから、より長い耐用時間が結果として得られる。
2019529145.tif 000002
【特許請求の範囲】
【請求項１】
軌道（２４）のレール（１８）を鋸断するバンドソー（１）であって、前記レール（１８）上に締め付け固定可能な、送り装置（１２）を有するバイス（９）上に取り付け可能であるバンドソー（１）において、
前記バンドソー（１）は、フレーム（２）を備え、該フレーム（２）内には、４つの帯鋸刃ローラ（１５，１６）が支持されており、該４つの帯鋸刃ローラ（１５，１６）に帯鋸刃（７）が張架されており、該帯鋸刃（７）は、前記フレーム（２）の空所（６）内においてガイド要素（１７）によりソー平面（１１）内へねじられていることを特徴とする、軌道（２４）のレール（１８）を鋸断するバンドソー（１）。
【請求項２】
前記帯鋸刃（７）は、前記フレーム（２）の前記空所（６）内において、最高で２５°の角度（β）だけ、好ましくは２０°だけねじられていることを特徴とする、請求項１記載のバンドソー（１）。
【請求項３】
各帯鋸刃ローラ（１５，１６）は、前記帯鋸刃（７）を８０°〜１００°の角度（α）で変向させており、前記帯鋸刃ローラ（１５，１６）の配置は、略長方形であることを特徴とする、請求項１または２記載のバンドソー（１）。
【請求項４】
前記フレーム（２）の前記空所（６）は、前記ソー平面（１１）寄りにある前側の領域において、前記ソー平面（１１）から離れた後側の領域における幅よりも幅広であることを特徴とする、請求項１から３までのいずれか１項記載のバンドソー（１）。
【請求項５】
前記ソー平面（１１）から見て、２つの前側の帯鋸刃ローラ（１５）は、それぞれ、前記フレーム（２）の前記空所（６）の左右に配置されており、２つの後側の帯鋸刃ローラ（１６）は、それぞれ、前記空所（６）の左右に配置されていることを特徴とする、請求項１から４までのいずれか１項記載のバンドソー（１）。
【請求項６】
前記フレーム（２）の前記空所（６）は、前記後側の帯鋸刃ローラ（１６）の回転軸線を通る平面（２１）と交差することを特徴とする、請求項５記載のバンドソー（１）。
【請求項７】
前記後側の帯鋸刃ローラ（１６）は、前記前側の帯鋸刃ローラ（１５）よりも大きな外径を有することを特徴とする、請求項５または６記載のバンドソー（１）。
【請求項８】
１つの後側の帯鋸刃ローラ（１６）が、動力発生装置（３）により駆動されることを特徴とする、請求項５から７までのいずれか１項記載のバンドソー（１）。
【請求項９】
１つの後側の帯鋸刃ローラ（１６）が、テンション装置（４）により移動可能に支持されていることを特徴とする、請求項５から８までのいずれか１項記載のバンドソー（１）。
【請求項１０】
複数の前記ガイド要素（１７）が、互いに位置を調節することができるように前記フレーム（２）に取り付けられていることを特徴とする、請求項１から９までのいずれか１項記載のバンドソー（１）。
【請求項１１】
各ガイド要素（１７）は、２つのガイドローラ（１９）を有することを特徴とする、請求項１から１０までのいずれか１項記載のバンドソー（１）。
【請求項１２】
１つのガイド要素（１７）の両前記ガイドローラ（１９）は、互いに位置を調節することができるように配置されていることを特徴とする、請求項１１記載のバンドソー（１）。
【請求項１３】
少なくとも１つのガイド要素（１７）は、前記帯鋸刃（７）をガイドするスリットを有するガイドプレート（２０）を有することを特徴とする、請求項１から１２までのいずれか１項記載のバンドソー（１）。
【請求項１４】
前記フレームの前記空所（６）は、ヨーク（５）により架橋されており、前記ヨーク（５）は、前記バンドソー（１）を前記バイス（９）に取り付ける接続装置（８）を有することを特徴とする、請求項１から１３までのいずれか１項記載のバンドソー（１）。
【請求項１５】
前記フレーム（２）は、下面に取り外し可能なカバー（１４）を有することを特徴とする、請求項１から１４までのいずれか１項記載のバンドソー（１）。
【発明の詳細な説明】
【技術分野】
【０００１】
本発明は、軌道のレールを鋸断するバンドソーであって、レール上に締め付け固定可能な、送り装置を有するバイス上に取り付け可能であるバンドソーに関する。
【背景技術】
【０００２】
この種のバンドソーは、例えば独国実用新案第２９８２０４１１号明細書において公知である。この公知のバンドソーの場合、無端の帯鋸刃が、フレーム内で３つの帯鋸刃ローラに張架されている。これらの３つのローラは、三角形の形態で配置されている。レールを鋸断するには、まず、送り装置を有するバイスをレール上に締め付け固定する。
【０００３】
その後、本来の鋸断工程を行う。このとき、バンドソーを傾斜姿勢で送り装置によって下方に動かす。レール高さ全体を完全に鋸断するには、バンドソーの強い傾きが必要であり、このことから、帯鋸刃の強い負荷が結果として生じてしまう。
【発明の概要】
【発明が解決しようとする課題】
【０００４】
本発明の根底にある課題は、冒頭で挙げた形態のバンドソーのために従来技術に対する改良を提示することである。
【課題を解決するための手段】
【０００５】
本発明により、上記課題は、請求項１の特徴によって解決される。従属請求項は、本発明の有利な構成を提示する。
【０００６】
本発明によれば、バンドソーは、フレームを備え、フレーム内には、４つの帯鋸刃ローラが支持されており、４つの帯鋸刃ローラに帯鋸刃が張架されており、帯鋸刃は、フレームの空所内においてガイド要素によりソー平面内へねじられている。４つの帯鋸刃ローラを配置したことで、帯鋸刃にかかる負荷が低く、このことから、より長い耐用時間が結果として得られる。一方では、曲げ負荷が最小化され、他方では、フレーム寸法に比して長い帯鋸刃上に摩耗が分散される。
【０００７】
好適な一形態では、帯鋸刃は、フレームの空所内において、最高で２５°の角度だけ、好ましくは２０°だけねじられている。よじれが小さいことで、一方では、負荷が小さい。他方では、帯鋸刃をねじるために、帯鋸刃ローラとガイド要素との間の大きな間隔が不要であるため、フレームの小さな幅が実現可能である。
【０００８】
さらに、各帯鋸刃ローラは、帯鋸刃を８０°〜１００°の角度で変向させており、帯鋸刃ローラの配置が略長方形であると、有利である。このことから、帯鋸刃の負荷最小化と、バンドソーのコンパクトな構造形式とが結果として得られる。
【０００９】
フレームの空所の好適な一構成は、空所が、ソー平面寄りにある前側の領域において、ソー平面から離れた後側の領域における幅よりも幅広である場合に提供される。このことは、フレームの高い安定性を生じる。同時に、レール高さの全体が、完全に切断可能なままである。それというのも、空所の前側の領域は、鋸断したいレール底部よりも幅広であるからである。空所の後側の領域のみ、より細くなっているが、それでもなお、鋸断したいレール頭部よりは幅広である。
【００１０】
有利には、ソー平面から見て、２つの前側の帯鋸刃ローラは、それぞれ、フレームの空所の左右に配置されており、２つの後側の帯鋸刃ローラは、それぞれ、空所の左右に配置されている。これにより、バンドソーの特にコンパクトな構造形式が提供される。
【００１１】
その際、フレームの空所は、後側の帯鋸刃ローラの回転軸線を通る平面と交差していると、好適である。つまり、空所は、ソー平面から見て特に深く、その結果、大きなレール高さを有するレールを完全に切断することができる。
【００１２】
加えて、バンドソーの構造形式にとっては、後側の帯鋸刃ローラが、前側の帯鋸刃ローラより大きな外径を有していると、好適である。前側の帯鋸刃ローラのより小さな寸法は、ガイド要素に対する間隔が十分であるとき、バンドソーの極めてスリムな構造形式を実現する。スペースが狭い状況でも、こうして他のレールまたは軌道装置との衝突が回避される。
【００１３】
その際、１つの後側の帯鋸刃ローラが、動力発生装置により駆動されると、有利である。後側の帯鋸刃ローラのより大きな外径により、帯鋸刃ローラと帯鋸刃との間には、帯鋸刃のスリップを回避する十分な摩擦が生じる。加えて、後側の帯鋸刃ローラの領域には、動力発生装置を配置する十分なスペースがある。
【００１４】
有意義には、帯鋸刃を緊張させるべく、１つの後側の帯鋸刃ローラが、テンション装置により移動可能に支持されてもいる。その際、帯鋸刃を駆動および緊張させるために、同じ帯鋸刃ローラを使用する可能性が得られ、有意義には、動力発生装置と、場合によっては変速機構とを有する駆動ユニット全体が移動可能に配置されている。
【００１５】
本発明の一発展形では、複数のガイド要素が、互いに位置を調節することができるようにフレームに取り付けられている。これにより、利用可能な帯鋸刃区間の長さは、レール幅に合わせて調整される。細いレールの場合、それぞれのガイド要素と、続く帯鋸刃ローラとの間の間隔を大きくとることができ、これにより、帯鋸刃のねじれによる負荷を最小化することができる。
【００１６】
有利には、各ガイド要素は、帯鋸刃を低摩擦にガイドする２つのガイドローラを有している。その際、帯鋸刃を除去したり、あるいは装着したりするのを容易にすべく、１つのガイド要素の両ガイドローラが、互いに位置を調節することができるように配置されていると、好適である。
【００１７】
さらに、少なくとも１つのガイド要素が、帯鋸刃をガイドするスリットを有するガイドプレートを有していると、有利である。ガイドプレートは、特に硬質の金属から製造されており、ガイド要素の摩耗を最小化する。
【００１８】
バンドソーの安定性にとっては、フレームの空所が、ヨークにより架橋されており、ヨークが、バンドソーをバイスに取り付ける接続装置を有していると、好適である。ヨークは、フレームの剛性を強め、これにより、高い切断品質を保証する。
【００１９】
運転の安全性を向上させるとともに、フレーム剛性をさらに改良すべく、フレームが、下面に取り外し可能なカバーを有していると、有意義である。
【００２０】
本発明について、以下に例示的に添付の図面を参照しながら説明する。
【図面の簡単な説明】
【００２１】
【図１】バンドソーの概略斜視図である。
【図２】カバーなしのバンドソーを下方から見た概略図である。
【図３】バイス上にある鋸断工程前のバンドソーの概略図である。
【図４】バイス上にある鋸断工程後のバンドソーの概略図である。
【発明を実施するための形態】
【００２２】
図１には、バンドソー１を斜め上方から示してある。フレーム２の可視の上面には、動力発生装置３と、テンション装置４と、フレーム２の空所６に架橋されるヨーク５とが配置されている。空所６内には、帯鋸刃７の、鋸断に利用可能な区間ａが延びている。
【００２３】
ヨーク５は、接続装置８を有し、接続装置８によりバンドソー１は、バイス９に取り付け可能である。本例では、接続装置８は接続プレート１０を有しており、接続プレート１０は、ソー平面１１に対して平行に方向付けられており、下側の縁部に、下方に開いた２つの長穴を有している。これにより、接続プレート１０は、バイス９の送り装置１２の突出するピンに掛着可能である。これにより、バイス９に対して１つのインタフェースのみが生じ、このことからシステム全体の高い剛性が得られる。
【００２４】
バンドソー１を持ち上げたり調整したりするために、フレーム２には、管枠１３が配置されている。同時に、管枠１３は、工事現場または荷台上でバンドソー１を損傷から保護する保護装置として用いられる。別の保全要素を、フレーム２の下面に取着されるカバー１４が形成している。カバー１４を保守目的で取り外すことができるように、解除可能な取り付け手段が設けられている。
【００２５】
図２には、バンドソー１を下方から示してあり、接続プレート１０を含む前面は、右方を向いている。帯鋸刃７は、２つの前側の帯鋸刃ローラ１５と、２つの後側の帯鋸刃ローラ１６とに張架されている。各帯鋸刃ローラ１５，１６は、帯鋸刃７を略９０°の角度αで変向させており、その結果、帯鋸刃ローラ１５，１６は、概ね長方形に配置されている。
【００２６】
前側の帯鋸刃ローラ１５間には、帯鋸刃７の、鋸断に利用可能な区間ａが存在している。この区間ａにおいて帯鋸刃７は、２つのガイド要素１７によってソー平面１１内へねじられている。それぞれの前側の帯鋸刃ローラ１５と、続くガイド要素１７との間の十分な間隔ｂは、よじれ時の帯鋸刃７の負荷を軽減する。
【００２７】
ガイド要素１７は、互いに移動可能にフレーム２に取り付けられており、その結果、細いレール１８を鋸断する際には、よじれに利用可能な間隔ｂを拡大させることができる。各ガイド要素１７は、偏心体に支持された２つのガイドローラ１９を有している。偏心体の回動によってガイドローラ１９の位置を互いに調節可能である。少なくとも１つのガイド要素１７は、加えて、スリットを有するガイドプレート２０を有しており、スリット内で帯鋸刃７はさらにガイドされている。
【００２８】
空所６は、ソー平面１１寄りの前側の領域において、両後側の帯鋸刃ローラ１６間の後側の領域における幅よりも幅広に形成されている。これにより、後側の帯鋸刃ローラ１６を、前側の帯鋸刃ローラ１５よりも大きな直径を有するように形成することができる。これは、帯鋸刃７と、駆動される後側の帯鋸刃ローラ１６との間の摩擦を高めるとともに、帯鋸刃７の曲げ負荷を減少させる。
【００２９】
有利には、フレーム２の空所６は、後側の帯鋸刃ローラ１６の回転軸線を通る平面２１と交差するまで後方に延ばされている。これにより、フレーム２の限られた深さで、バンドソー１の小さな傾き、ひいては帯鋸刃７の小さなねじれを実現可能である。
【００３０】
加えて、帯鋸刃ローラ１５，１６の配置と、前側の帯鋸刃ローラ１５のより小さな直径とが、フレーム２の限られた幅を実現する。これにより、バンドソー１は、スペースが狭い状況でも使用可能なままである。このことは、特に複数のレール１８が互いに直接的近傍に延びているポイントまたはクロッシングの領域での鋸断の際に有意義である。同じことは、付加的な電流レールにもいえる。
【００３１】
帯鋸刃７を緊張させるべく、後側の帯鋸刃ローラ１６は、移動可能な軸受２２に支持されている。具体的には、テンション装置４は、軸受２２の、フレーム２内に取り付けられたガイドと、調節装置としてのねじ山付きスピンドルとを有している。双方向矢印によって略示したテンション方向は、フレーム２の対角方向で延びており、大きな調節距離を可能にする。ねじ山付きスピンドルを回転させる操作要素は、取り外し可能に構成されていてもよい。これにより、コンパクトな構造形式が保証される。
【００３２】
図３および４は、バイス９上に組み付けられて使用中のバンドソー１を示している。両図において、バンドソー１とバイス９のベース２３とは、断面図で示してある。バイス９は、ベース２３でもって軌道２４の鋸断したいレール１８を把持している。ベース２３は、締め付けねじによってレールウェブに締め付け固定されている。送り装置１２のキャリッジ２６の位置は、ハンドホイール２５によって鉛直方向で調節可能である。
【００３３】
バンドソー１は、接続プレート１０によりキャリッジ２６に取り付けられている。その際、バンドソー１は、鋸断時にレール１８との衝突を回避すべく、角度βだけ傾けられている。帯鋸刃７の利用可能な区間ａは、この角度βだけ、ソー平面１１内へねじられる。例えば２０°という小さな角度βは、４つの帯鋸刃ローラ１５，１６と、フレーム２の深い空所６とにより実現される。
【００３４】
帯鋸刃７が動いているとき、バンドソー１は、送り装置１２によって好適な送り速度で下方に動かされる。長い帯鋸刃７と、４つの帯鋸刃ローラ１５，１６の結果としての小さな曲げ負荷とが、高い周回速度を許容する。このことは、他方、高い送り速度、ひいては短い切断時間を実現する。
【００３５】
図４には、完全に切断されたレール１８と、終端位置にあるバンドソー１とを示してある。フレーム２の空所６と、ヨーク５の十分な高さとに基づいて、バンドソー１とレール１８との間に衝突は起こらない。
【００３６】
帯鋸刃７の交換は、簡単に実施可能である。交換のためには、カバー１４を取り外し、テンション装置４によって帯鋸刃７を弛緩させることだけが必要である。場合によってはガイドローラ１９も開放することができる。帯鋸刃７の曲げ応力が小さいことで、負傷の危険はない。
【００３７】
本発明は、少なくとも４つの帯鋸刃ローラ１５，１６を備える別の構成にも関する。例えば１つの固有のテンションローラが設けられていてもよく、その結果、帯鋸刃７は、この第５のローラによって残余の４つの帯鋸刃ローラ１５，１６に張架される。
【図１】
2019529145.tif 000003
【図２】
2019529145.tif 000004
【図３】
2019529145.tif 000005
【図４】
2019529145.tif 000006
【国際調査報告】
2019529145.tif 000007
2019529145.tif 000008
2019529145.tif 000009
2019529145.tif 000010